(57)【要約】【課題】  液晶装置等の基板上における実装エリアを広めに確保しつつ、装置全体を小型化及び高精細化させる。【解決手段】  基板と、該基板上の画像表示領域内に配置され、駆動信号に基づいて夫々駆動される複数の画素部と、基板上における画像表示領域の周辺に位置する周辺領域のうち画像表示領域の一辺に沿った部分に位置する多辺形の一領域内に、該一領域の複数辺に沿って配列された複数の端子と、該複数の端子のうち少なくとも一部の端子に対して実装され且つ該少なくとも一部の端子を介して複数の画素部に駆動信号を供給する一の実装部品とを備える。【選択図】  図３
2005181399.tif 000002
【特許請求の範囲】
【請求項１】
基板と、
該基板上の画像表示領域内に配置され、駆動信号に基づいて夫々駆動される複数の画素部と、
前記基板上における前記画像表示領域の周辺に位置する周辺領域のうち前記画像表示領域の一辺に沿った部分に位置する多辺形の一領域内に、該一領域の複数辺に沿って配列された複数の端子と、
該複数の端子のうち少なくとも一部の端子に対して実装され且つ該少なくとも一部の端子を介して前記複数の画素部に前記駆動信号を供給する一の実装部品と
を備えることを特徴とする電気光学装置。
【請求項２】
前記複数の端子が少なくとも部分的に、千鳥配置されていることを特徴とする請求項１に記載の電気光学装置。
【請求項３】
前記一の実装部品は、前記複数の端子のうち一部の端子に対してのみ実装されること
を特徴とする請求項１又は２に記載の電気光学装置。
【請求項４】
前記一部の端子は、前記一領域の複数辺に沿って配列されていること
を特徴とする請求項３に記載の電気光学装置。
【請求項５】
前記一部の端子は、前記一領域の複数辺のうちの一辺のみに沿って配列されていること
を特徴とする請求項３に記載の電気光学装置。
【請求項６】
前記複数の端子のうち、前記一部の端子を除く他の端子は検査用端子を含むこと
を特徴とする請求項３から５のいずれか一項に記載の電気光学装置。
【請求項７】
前記検査用端子は、該検査用端子以外の前記他の端子及び前記一部の端子と比較して、相対的に大きいサイズを有することを特徴とする請求項６に記載の電気光学装置。
【請求項８】
前記基板を平面的に見て前記画像表示領域の前記一辺に対向する前記一領域の一辺に沿って配列された前記端子に接続される配線と比較して、前記一領域の他の辺に沿って配列された前記端子には相対的に太い配線が接続されていること
を特徴とする請求項１から７のいずれか一項に記載の電気光学装置。
【請求項９】
前記基板に対向配置された対向基板と、
前記基板及び前記対向基板に配置されており、電気光学物質を挟持する二つの電極と
を更に備えており、
前記一領域の他の辺に沿って配列された前記端子は、前記配線によって前記対向基板に設けられた前記電極と電気的に接続されていること
を特徴とする請求項８に記載の電気光学装置。
【請求項１０】
前記一の実装部品には、前記駆動信号を生成する外部駆動回路が接続されていること
を特徴とする請求項１から９のいずれか一項に記載の電気光学装置。
【請求項１１】
基板と、
該基板上の画像表示領域内に配置され、画像信号及び走査信号に基づいて夫々駆動される複数の画素部と、
該複数の画素部に電気的に接続された複数のデータ線及び複数の走査線と、
前記基板上における前記画像表示領域の周辺に位置する周辺領域のうち前記画像表示領域の一辺に沿った部分に位置する多辺形の一領域内に、該一領域の複数辺に沿って配列された複数の端子と、
前記周辺領域に配置されており、前記複数のデータ線に前記画像信号を供給するデータ線駆動回路及び前記複数の走査線に前記走査信号を供給する走査線駆動回路を含む内部駆動回路と、
前記複数の端子のうち少なくとも一部の端子に対して実装され且つ該少なくとも一部の端子を介して前記内部駆動回路に所定種類の信号を供給する一の実装部品と
を備えることを特徴とする電気光学装置。
【請求項１２】
請求項１から１１のいずれか一項に記載の電気光学装置を具備することを特徴とする電子機器。
【発明の詳細な説明】
【技術分野】
【０００１】
本発明は、例えば液晶装置、有機ＥＬ（Electro-Luminescence）装置等の電気光学装置、並びに該電気光学装置を備えてなる電子機器の技術分野に関する。
【背景技術】
【０００２】
この種の電気光学装置は、例えば、基板上に設けられた内部駆動回路及び該内部駆動回路と電気的に接続された複数の端子を備えている。また、該複数の端子に対して、実装部品が実装されると共に該実装部品に接続された外部駆動回路から所定種類の信号が供給される。そして、複数の端子を介して供給される所定種類の信号に基づいて、内部駆動回路によって複数の画素部が駆動される。電気光学装置の小型化や高精細化が進むと、外部駆動回路から供給される信号の数が増加する。それに伴い、電気光学装置において、基板上に設けられる端子の数も増加するため、複数の端子の形成エリア即ち実装エリアの確保が重要な課題となる。
【０００３】
そこで、例えば複数の端子を端子間のピッチを狭めて配置することにより、実装エリアを確保する。或いは、端子間のピッチを変化させずに、基板上に複数領域を設け、各領域に複数の端子を配列させることにより、複数の実装エリアを確保する技術が開示されている（例えば、特許文献１参照）。
【０００４】
【特許文献１】特許第２８２２５５８号公報
【発明の開示】
【発明が解決しようとする課題】
【０００５】
しかしながら、端子間のピッチを狭めると、実装部品と複数の端子との位置合わせが困難となる。よって、実装部品を実装する際の位置ズレにより実装不良が生じ、端子同士が短絡する恐れがある。また、検査時におけるプロービングの際、プローブピンと複数の端子との位置合わせも困難となり、端子よりプローブピンが脱落して、正確な検査を行うことができないという問題点も生じる。
【０００６】
更に、複数の実装エリアを確保する場合、複数の実装部品が必要となるため、実装部品の数だけ実装時間や生産コストが増加するという問題点を生じる。
【０００７】
本発明は、上記問題点に鑑み成されたものであり、実装エリアを確保しつつ、小型化及び高精細化させることが可能な電気光学装置、並びに該電気光学装置を備えた各種電子機器を提供することを解決課題とする。
【課題を解決するための手段】
【０００８】
本発明の第１の電気光学装置は上記課題を解決するために、基板と、該基板上の画像表示領域内に配置され、駆動信号に基づいて夫々駆動される複数の画素部と、前記基板上における前記画像表示領域の周辺に位置する周辺領域のうち前記画像表示領域の一辺に沿った部分に位置する多辺形の一領域内に、該一領域の複数辺に沿って配列された複数の端子と、該複数の端子のうち少なくとも一部の端子に対して実装され且つ該少なくとも一部の端子を介して前記複数の画素部に前記駆動信号を供給する一の実装部品とを備える。
【０００９】
本発明の第１の電気光学装置において、基板上における平面形状が多辺形である一領域は、端子の形成エリア即ち実装エリアであって、該一領域の複数辺のうちいずれかの辺又は全ての辺に沿って複数の端子が配列されて設けられている。よって、前記一領域の一辺に複数の端子を全て配列させるのが困難であるときは、該一辺に配置しきれない端子を、前記一領域の他の辺に配列させることができる。即ち、端子間のピッチを狭めることなしに、前記一領域の複数辺に対して複数の端子を全て配列させることが可能となる。
【００１０】
また、画像表示領域の一辺側に、基板を引き伸ばしたり縮めたりして基板のサイズを変化させることにより、前記一領域のサイズも変化させることが可能である。よって、画像表示領域の各辺側に基板を引き伸ばして、複数の実装エリアを確保する場合と比較して、当該第１の電気光学装置を特定の方向（例えば、幅方向）について小型化させる場合に有利である。
【００１１】
前記一領域における複数の端子を狭ピッチ化させること無く配列することにより、該複数の端子と実装部品側の端子との位置あわせが比較的容易となる。従って、実装部品の実装不良の発生を防止することができる。その結果、低コストで当該第１の電気光学装置を製造することができ、更には該製造工程における歩留まりを向上させることも可能となる。
【００１２】
前記一領域における複数の端子に接続される複数の配線のレイアウトは、複数の端子の配置に応じた構成となる。従って、複数の端子の配置によって、該複数の配線同士が互いに交差するのを減らすことができ、且つ駆動時におけるノイズの発生も防止することが可能となる。
【００１３】
以上説明したように、本発明の第１の電気光学装置によれば小型化及び高精細化させる場合に極めて有利である。
【００１４】
本発明の第１の電気光学装置の一態様では、前記複数の端子が少なくとも部分的に、千鳥配置されている。
【００１５】
この態様によれば、前記一領域において、該一領域の各辺に一列に複数の端子の全てを配列させるのが困難であるときは、好ましくは配列しきれない端子を千鳥配置させる。従って、端子間のピッチを狭めることなしに、前記一領域に配列させることが可能な端子の数を増やすことが可能となる。更に、画像表示領域の一辺側に、基板を引き伸ばして、基板のサイズを変化させることにより、前記一領域に配列させる端子数を増やすことができる。
【００１６】
本発明の第１の電気光学装置の他の態様では、前記一の実装部品は、前記複数の端子のうち一部の端子に対してのみ実装される。
【００１７】
この態様によれば、駆動信号用端子に対してのみ一の実装部品が実装される。従って、実装部品の小規模化を図ることができ、該実装部品の生産コストを低減させることができる他、実装に要する実装時間を短縮化させることも可能となる。また、駆動信号用端子と実装部品側の端子との位置あわせを比較的容易に行うことができるため、実装部品の実装不良の発生を防止することができる。
【００１８】
この、一部の端子に対して一の実装部品が実装される態様では、前記一部の端子は、前記一領域の複数辺に沿って配列されているように構成してもよい。
【００１９】
このように構成すれば、一部の端子が前記一領域の複数辺に沿って配列されている場合も、一部の端子に実装される実装部品は一つで済むため、実装時間を短縮させることが可能となると供に、実装部品の生産や実装に要するコストを削減することが可能となる。また、一部の端子の配置によって、該一部の端子に接続される複数の配線同士が互いに交差するのを減らすことができ、且つ駆動時におけるノイズの発生も防止することが可能となる。
【００２０】
この、一部の端子に対して一の実装部品が実装される態様では、前記一部の端子は、前記一領域の複数辺のうちの一辺のみに沿って配列されているように構成してもよい。
【００２１】
このように構成すれば、実装部品の小規模化を図ることができ、該実装部品の生産コストをより低減させると共に、実装時間をより短縮化させることが可能となる。
【００２２】
この、一部の端子に対して一の実装部品が実装される態様では、前記複数の端子のうち、前記一部の端子を除く他の端子は検査用端子を含むように構成してもよい。
【００２３】
このように構成すれば、検査時にプローブピンと検査用端子との位置合わせが比較的容易となる。その結果、検査時にプローブピンが検査用端子から脱落するのを防止し、より正確な検査を行うことができる。他方で、実装部品を実装する際には、検査用端子への接続については考慮することを要しない。このため、実装部品における平面形状や配線レイアウトについて余裕が増大し、更に実装の際には、一部の端子に対してのみ位置合わせを行なえばよいので、比較的容易に当該位置合わせを実行可能となる。
【００２４】
この、複数の端子のうち前記他の端子に検査用端子を含む態様では、前記検査用端子は、該検査用端子以外の前記他の端子及び前記一部の端子と比較して、相対的に大きいサイズを有するように構成してもよい。
【００２５】
このように構成すれば、プローブピンの位置合わせを比較的簡単に行なうことができ且つ検査時にプローブピンが検査用端子から脱落するのを防止することが可能となる。他方、実装部品を実装する際には、プローブピンの場合よりも高精度の位置合わせを、専用装置によって別途行うようにすれば、何ら問題は生じない。また、このように端子のサイズを大きくすることにより、該端子における電気抵抗を低下させることが可能となる。
【００２６】
本発明の第１の電気光学装置の他の態様では、前記基板を平面的に見て前記画像表示領域の前記一辺に対向する前記一領域の一辺に沿って配列された前記端子に接続される配線と比較して、前記一領域の他の辺に沿って配列された前記端子には相対的に太い配線が接続されている。
【００２７】
この態様によれば、複数の端子に接続される複数の配線を次のようにバランス良く配置することが可能となる。即ち、この態様では、画像表示領域に対向する前記一領域の内側に、外側と比較して相対的に細い配線を配置すると共に、前記一領域の外側に内側と比較して相対的に太い配線を配置することが可能となる。
【００２８】
この、前記一領域の他の辺に沿って配列された端子に相対的に太い配線を接続する態様では、前記基板に対向配置された対向基板と、前記基板及び前記対向基板に配置されており、電気光学物質を挟持する二つの電極とを更に備えており、前記一領域の他の辺に沿って配列された前記端子は、前記配線によって前記対向基板に設けられた前記電極と電気的に接続されているように構成してもよい。
【００２９】
このように構成すれば、例えば二つの電極を電気的に接続する上下導通端子と、前記一領域の他の辺に沿って配列された端子との間を夫々電気的に接続する配線の長さを短くできるため、且つ該配線は太いため、該配線における抵抗を低下させることが可能となる。このため、対向基板を安定した所定電位にすることが容易となる。
【００３０】
本発明の第１の電気光学装置の他の態様では、前記一の実装部品には、前記駆動信号を生成する外部駆動回路が接続されている。
【００３１】
この態様によれば、例えば外部駆動回路は当該第１の電気光学装置と別工程で製造され、実装部品に接続される。従って、このような実装部品が当該第１の電気光学装置に実装されることにより、当該第１の電気光学装置の製造工程における歩留まりを向上させることが可能となり、設計自由度が増大する。
【００３２】
本発明の第２の電気光学装置は上記課題を解決するために、基板と、該基板上の画像表示領域内に配置され、画像信号及び走査信号に基づいて夫々駆動される複数の画素部と、該複数の画素部に電気的に接続された複数のデータ線及び複数の走査線と、前記基板上における前記画像表示領域の周辺に位置する周辺領域のうち前記画像表示領域の一辺に沿った部分に位置する多辺形の一領域内に、該一の領域の複数辺に沿って配列された複数の端子と、前記周辺領域に配置されており、前記複数のデータ線に前記画像信号を供給するデータ線駆動回路及び前記複数の走査線に前記走査信号を供給する走査線駆動回路を含む内部駆動回路と、前記複数の端子のうち少なくとも一部の端子に対して実装され且つ該少なくとも一部の端子を介して前記内部駆動回路に所定種類の信号を供給する一の実装部品とを備える。
【００３３】
本発明の第２の電気光学装置は、前述した第１の電気光学装置と同様、小型化及び高精細化させる場合に極めて有利である。
【００３４】
また、本発明の第２の電気光学装置において、各画素部の駆動に係るタイミングを制御するタイミング発生回路や、外部から入力される入力画像データに基づいて画像信号を生成する画像信号処理回路、又は電源を供給する電源回路を、一つの実装部品に組み込むことが可能となる。この場合、「所定種類の信号」として、タイミング発生回路によって各種タイミング信号が生成される。或いは、画像信号処理回路によって画像信号が生成される。そして、データ線駆動回路は、複数の端子のうち少なくとも一部の端子を介して供給される電源によって駆動すると共に、該一部の端子を介して供給される各種タイミング信号に基づいて、画像信号の供給を行う。また、走査線駆動回路は、データ線駆動回路と同様に、走査信号を生成して供給する。
【００３５】
各画素部には、走査線駆動回路から走査信号が印加され、データ線駆動回路にから供給される画像信号が書き込まれる。各画素部では、供給された画像信号に基づいて画像表示が行われる。
【００３６】
本発明の電子機器は上記課題を解決するために、上述した本発明の第１又は第２の電気光学装置（但し、その各種態様も含む）を具備する。
【００３７】
本発明の電子機器は、上述した本発明の第１又は第２の電気光学装置を具備してなるので、小型化及び高精細化が可能な、投射型表示装置、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電子機器として、例えば電子ペーパなどの電気泳動装置、電子放出装置（Field Emission Display及びConduction Electron-Emitter Display）等を実現することも可能である。
【００３８】
本発明のこのような作用及び他の利得は次に説明する実施の形態から明らかにされる。
【発明を実施するための最良の形態】
【００３９】
以下では、本発明の実施の形態について図を参照しつつ説明する。以下の実施形態は、本発明の電気光学装置を液晶装置に適用したものである。
【００４０】
＜１；電気光学パネルの全体構成＞
本発明の電気光学装置たる液晶装置における、電気光学パネルの一例としての液晶パネルの全体構成について、図１及び図２を参照して説明する。ここに、図１は、ＴＦＴアレイ基板をその上に形成された各構成要素と共に対向基板の側から見た液晶パネルの概略的な平面図であり、図２は、図１のＨ−Ｈ’断面図である。ここでは、駆動回路内蔵型のＴＦＴアクティブマトリクス駆動方式の液晶装置を例にとる。
【００４１】
図１及び図２において、本実施形態に係る液晶パネル１００では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、画像表示領域１１０の周囲に位置するシール領域に設けられたシール材５２により相互に接着されている。
【００４２】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。また、シール材５２中には、ＴＦＴアレイ基板１０と対向基板２０との間隔（基板間ギャップ）を所定値とするためのグラスファイバ或いはガラスビーズ等のギャップ材が散布されている。
【００４３】
シール材５２が配置されたシール領域の内側に並行して、画像表示領域１１０の額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。なお、本実施形態においては、前記の画像表示領域１１０の周辺に位置する周辺領域が存在する。言い換えれば、本実施形態においては特に、ＴＦＴアレイ基板１０の中心から見て、この額縁遮光膜５３より以遠が周辺領域として規定されている。
【００４４】
ＴＦＴアレイ基板１０上の周辺領域のうち、シール材５２が配置されたシール領域の外側に位置する領域には、データ線駆動回路１０１が画像表示領域１１０の一辺に沿って設けられると共に、該一辺に沿った一領域に複数の端子１０２が設けられている。また、走査線駆動回路１０４は、この一辺に隣接する２辺に沿い、且つ、前記額縁遮光膜５３に覆われるようにして設けられている。更に、このように画像表示領域１１０の両側に設けられた二つの走査線駆動回路１０４間をつなぐため、画像表示領域１１０の残る一辺に沿い、且つ、前記額縁遮光膜５３に覆われるようにして複数の配線１０５が設けられている。ここで、複数の端子１０２に対しては、後述するように例えばＴＡＢ（Ｔａｐｅ  Ａｕｔｏｍａｔｅｄ  Ｂｏｎｄｉｎｇ）方式により、一の実装部品が実装される。
【００４５】
また、対向基板２０の四つのコーナー部には、両基板間の上下導通端子として機能する上下導通材１０６が配置されている。他方、ＴＦＴアレイ基板１０にはこれらのコーナー部に対向する領域において上下導通端子が設けられている。これらにより、ＴＦＴアレイ基板１０と対向基板２０との間で電気的な導通をとることができる。
【００４６】
図２において、ＴＦＴアレイ基板１０上には、画素スイッチング用のＴＦＴや走査線、データ線等の配線が形成された後の画素電極９ａ上に、配向膜が形成されている。他方、対向基板２０上には、対向電極２１の他、格子状又はストライプ状の遮光膜２３、更には最上層部分に配向膜が形成されている。また、液晶層５０は、電気光学物質の一例として、一種又は数種類のネマティック液晶を混合した液晶からなり、これら一対の配向膜間で、所定の配向状態をとる。
【００４７】
尚、図１及び図２に示したＴＦＴアレイ基板１０上には、これらのデータ線駆動回路１０１、走査線駆動回路１０４等に加えて、画像信号線上の画像信号をサンプリングしてデータ線に供給するサンプリング回路、複数のデータ線に所定電圧レベルのプリチャージ信号を画像信号に先行して各々供給するプリチャージ回路、製造途中や出荷時の当該液晶パネル１００の品質、欠陥等を検査するための検査回路等を形成してもよい。
【００４８】
また、このようなデータ線駆動回路１０１及び走査線駆動回路１０４等の周辺回路の一部又は全部をＴＦＴアレイ基板１０に形成する代わりに、例えばＴＡＢ方式により、駆動用ＩＣチップをＴＦＴアレイ基板１０の所定位置に設けられる異方性導電フィルムを介して電気的及び機械的に接続する構成としてもよいし、駆動用ＩＣチップ自体を、ＣＯＧ（Ｃｈｉｐ  Ｏｎ  Ｇｒａｓｓ）方式により、ＴＦＴアレイ基板１０の所定位置に異方性導電フィルムを介して電気的及び機械的に接続する構成としてもよい。
【００４９】
＜２；電気光学装置の全体構成＞
図３は、液晶装置１の全体構成を示すブロック図である。図３において、液晶装置１の主要部には、液晶パネル１００、並びに該液晶パネル１００に実装される一の実装部品７０が含まれる。ここで、一の実装部品７０はＴＡＢ方式により液晶パネル１００に実装されているものとする。
【００５０】
一の実装部品７０は、複数の配線が設けられたフレキシブル基板７２、及び該フレキシブル基板７２に実装された外部基板７４を備えている。外部基板７４には、本発明に係る「外部駆動回路」として、画像信号処理回路３００、タイミング発生回路４００、及び電源回路５００が設けられている。尚、図３においてフレキシブル基板７２に形成された複数の配線の詳細な構成については図示を省略する。
【００５１】
タイミング発生回路４００は、各部で使用される各種タイミング信号を出力するように構成されている。タイミング発生回路４００の一部であるタイミング信号出力手段により、最小単位のクロックであり各画素を走査するためのドットクロックが作成され、このドットクロックに基づいて、Ｙクロック信号ＹＣＫ、反転Ｙクロック信号ＹＣＫＢ、Ｘクロック信号ＸＣＫ、反転Ｘクロック信号ＸＣＫＢ、ＹスタートパルスＤＹ及びＸスタートパルスＤＸが生成される。
【００５２】
画像信号処理回路３００は、外部から入力画像データが入力されると、この入力画像データに基づいて画像信号として、ＲＧＢ各色に対応するＲ信号４０Ｒ、Ｇ信号４０Ｇ、及びＢ信号４０Ｂを生成する。また、電源回路５００は、複数の電位の電源を生成する。
【００５３】
次に、液晶パネル１００には、そのＴＦＴアレイ基板１０の周辺領域に、走査線駆動回路１０４及びデータ線駆動回路１０１を含む内部駆動回路１２０及び複数の端子１０２が設けられている。
【００５４】
複数の端子１０２は、ＴＦＴアレイ基板１０の周辺領域のうち、画像表示領域１１０の一辺に沿った部分に位置する矩形の一領域１３０内に、該一領域１３０の複数辺に沿って配列されて設けられている。図３には、一領域１３０の三辺のうち、画像表示領域１１０の一辺に対向する一領域１３０の一辺に配列させた端子１０２ｂに加え、該一領域１３０の他の二辺にも端子１０２ｓを配列させて、複数の端子１０２の全てが設けられている。ここで、複数の端子１０２は一領域１３０の二辺に沿って配列されてもよい。また、一領域１３０の平面的な形状は矩形以外の多辺形の形状としてもよい。よって、一領域１３０の一辺に複数の端子１０２を全て配列しきれない場合でも、該配列しきれない端子１０２ｓを一領域１３０の他辺に配列させられることにより、端子間のピッチを狭めることなしに、複数の端子１０２を全て配列させることが可能となる。
【００５５】
また、画像表示領域１１０の一辺側のみに、即ち図３中の下方向のみに、ＴＦＴアレイ基板１０を引き伸ばしたり縮めたりすることにより、一領域１３０のサイズを変化させることが可能である。よって、画像表示領域１１０の各辺側にＴＦＴアレイ基板１０を引き伸ばして、複数の実装エリアを確保する場合と比較して、液晶装置１を図３中の横幅方向について小型化させる場合に有利である。これは特に、携帯電話のようにその性質上、横幅方向について相対的に狭い方が好ましい或いは横幅方向に画面が一杯に広がっている方が好ましいような用途に好都合である。
【００５６】
図４（ａ）及び図４（ｂ）は、一の実装部品７０の実装に係る要部の構成を示す断面図である。図４（ａ）において、一の実装部品７０は、フレキシブル基板７２に形成され、外部駆動回路１４に接続された複数の配線Ｌ１と、複数の端子１０２の一部又は全てとを、端子１０２の配列方向に対して直角な方向に導電性を有する異方性導電フィルムを介して接続することにより、液晶パネル１００に実装される。尚、図４（ｂ）に示したように、一の実装部品７０ｆは複数の端子１０２の一部又は全てに対してＣＯＧ方式により実装されてもよい。
【００５７】
従って、実装エリアを確保して端子数を増やしても、実装部品７０は一つですむため、実装工程を増やすことなく該実装部品７０を実装させることができる。よって、複数の実装部品を実装する場合と比較して、実装時間を短縮させることが可能となると共に、実装部品７０の生産や実装に要するコストを削減することが可能となる。
【００５８】
また、一領域１３０における複数の端子１０２を狭ピッチ化させること無く配列することにより、該複数の端子１０２と実装部品７０側の配線との位置あわせを比較的容易に且つ正確に行うことが可能となる。従って、実装部品７０の実装不良の発生を防止することができる。その結果、低コストで液晶装置１を製造することができ、更には該製造工程における歩留まりを向上させることも可能となる。
【００５９】
ここで、図３には、複数の端子１０２の配置に係る構成に着目して、複数の端子１０２に接続される、ＴＦＴアレイ基板１０上の複数の配線のレイアウトについては図示を省略してある。該ＴＦＴアレイ基板１０上の複数の配線のレイアウトは、複数の端子１０２に応じた構成となる。従って、複数の端子１０２の配置によって、該複数の配線同士が互いに交差するのを減らすことができ、且つ駆動時におけるノイズの発生も防止することが可能となる。
【００６０】
データ線駆動回路１０１及び走査線駆動回路１０４は、複数の端子１０２のいずれかを介して一の実装部品７０より供給される電源によって駆動される。走査線駆動回路１０４には、Ｙクロック信号ＹＣＫ、反転Ｙクロック信号ＹＣＫＢ、及びＹスタートパルスＤＹが、一の実装部品７０より複数の端子１０２のいずれかを介して供給される。走査線駆動回路１０４は、ＹスタートパルスＤＹが入力されると、Ｙクロック信号ＹＣＫ及び反転Ｙクロック信号ＹＣＫＢに基づくタイミングで、走査信号Ｙ１、・・・、Ｙｍを順次生成して出力する。
【００６１】
また、データ線駆動回路１０１には、走査線駆動回路１０４と同様に、Ｘクロック信号ＸＣＫ、反転Ｘクロック信号ＸＣＫＢ、及びＸスタートパルスＤＸに加えて、Ｒ信号４０Ｒ、Ｇ信号４０Ｇ、及びＢ信号４０Ｂが供給される。データ線駆動回路１０１は、ＸスタートパルスＤＸ並びにＲ信号４０Ｒ、Ｇ信号４０Ｇ、及びＢ信号４０Ｂが入力されると、Ｘクロック信号ＸＣＫ及び反転Ｘクロック信号ＸＣＫＢに基づくタイミングで、Ｒ信号４０Ｒ、Ｇ信号４０Ｇ、及びＢ信号４０Ｂを夫々画像信号Ｘ１、Ｘ２、・・・、Ｘｎとして出力する。
【００６２】
液晶パネル１００は更に、そのＴＦＴアレイ基板の中央を占める画像表示領域１１０に、縦横に配線されたデータ線１１４及び走査線１１２を備え、それらの交点に対応する各画素部に、マトリクス状に配列された画素電極１１８及び画素電極１１８をスイッチング制御するためのＴＦＴ１１６を備える。尚、本実施形態では特に、走査線１１２の総本数をｍ本（但し、ｍは２以上の自然数）とし、データ線１１４の総本数をｎ本（但し、ｎは２以上の自然数）として説明する。
【００６３】
データ線駆動回路１０１は、各データ線１１４に画像信号Ｘ１、Ｘ２、・・・、Ｘｎをこの順に線順次に、或いは相隣接する複数のデータ線１１４同士に対して、グループ毎に、供給する。図３中、一つの画素部の構成に着目すれば、ＴＦＴ１１６のソース電極には、データ線駆動回路１０１より画像信号Ｘｉ（但し、ｉ＝１、２、３、・・・、ｎ）が供給されるデータ線１１４が電気的に接続されている一方、ＴＦＴ１１６のゲート電極には、走査信号Ｙｊ（但し、ｉ＝１、２、３、・・・、ｍ）が供給される走査線１１２が電気的に接続されるとともに、ＴＦＴ１１６のドレイン電極には、画素電極１１８が接続されている。そして、各画素部は、画素電極１１８と、対向基板２０に形成された対向電極２１と、これら両電極間に挟持された液晶とによって構成される結果、走査線１１２とデータ線１１４との各交点に対応して、マトリクス状に配列されることになる。
【００６４】
画素電極１１８は、スイッチング素子であるＴＦＴ１１６を一定期間だけそのスイッチを閉じることにより、データ線１１４から供給される画像信号Ｘ１、Ｘ２、・・・、Ｘｎを所定のタイミングで書き込む。画素電極１１８を介して液晶に書き込まれた所定レベルの画像信号Ｘ１、Ｘ２、・・・、Ｘｎは、対向電極２１との間で一定期間保持される。液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として液晶パネル１００からは画像信号Ｘ１、Ｘ２、・・・、Ｘｎに応じたコントラストをもつ光が出射する。
【００６５】
ここで、保持された画像信号がリークするのを防ぐために、蓄積容量１１９が、画素電極１１８と対向電極２１との間に形成される液晶容量と並列に付加されている。例えば、画素電極１１８の電圧は、ソース電圧が印加された時間よりも３桁も長い時間だけ蓄積容量１１９により保持されるので、保持特性が改善される結果、高コントラスト比が実現されることとなる。
【００６６】
以上説明したように、本実施形態の液晶装置１によれば、小型化及び高精細化させる場合に極めて有利である。
【００６７】
尚、データ線駆動回路１０１及び走査線駆動回路１０４を、外部基板７４上に更に設けることによって「外部駆動回路」が形成されてもよい。この場合、「駆動信号」として走査信号Ｙｊ及び画像信号Ｘｉが、複数の端子１０２のいずれかを介して各走査線１１２及び各データ線１１４に供給されることとなる。
【００６８】
＜３；変形例＞
以上説明した本実施形態の変形例について図５から図８を参照して説明する。図５は、一の変形例に係る液晶装置１の全体構成を示すブロック図であって、図６及び図７は夫々、他の変形例に係る液晶装置１の全体構成を示すブロック図である。また、図８は、他の変形例に係る液晶装置の概略的な平面図である。尚、図５から図７では、外部基板７４は、その構成を簡略化して単に「外部駆動回路」としたブロックで示してある。
【００６９】
先ず、図５において、一領域１３０に複数の端子１０２が、少なくとも部分的に千鳥配置されてもよい。例えば、一領域１３０において、該一領域１３０の各辺に一列に複数の端子１０２の全てを配列させるのが困難であるときは、好ましくは配列しきれない端子１０２ｅを千鳥配置させる。従って、端子間のピッチを狭めることなしに、一領域１３０に配列させることが可能な端子の数を増やすことが可能となる。更に、画像表示領域１１０の一辺側に、ＴＦＴアレイ基板１０を引き伸ばして、該ＴＦＴアレイ基板１０のサイズを変化させることにより、一領域１３０に配列させる端子数を増やすことができる。
【００７０】
次に、図６及び図７において、一の実装部品７０は、複数の端子１０２のうち一部の端子１０２ｂに対してのみ実装される。図６において、一部の端子１０２ｂは、一領域１３０の、画像表示領域１１０に対向する一辺のみに沿って配列されている。また、複数の端子１０２のうち、一部の端子１０２ｂを除く他の端子１０２ａは例えば検査用端子として設けられている。検査用端子１０２ａは、一部の端子１０２ｂと比較して相対的に大きいサイズを有するように構成されるのが好ましい。
【００７１】
尚、他の端子１０２ａのうち少なくとも一部の端子１０２ａが検査用端子として設けられるようにしてもよい。この場合、検査用端子を、検査用端子以外の他の端子１０２ａ及び一部の端子１０２ｂと比較して、相対的に大きいサイズを有するように構成するのが好ましい。
【００７２】
従って、図６に示す液晶装置１の構成によれば、一の実装部品７０が実装された一部の端子１０２ｂに対して、該実装部品７０より、画像表示領域１１０における各画素部を駆動させるための各種信号が供給されることとなる。従って、実装部品７０の小規模化を図ることができ、該実装部品７０の生産コストを低減させることができる他、実装に要する実装時間を短縮化させることも可能となる。また、一部の端子１０２ｂと実装部品７０側の配線との位置あわせを比較的容易に且つ正確に行うことができるため、実装部品７０の実装不良の発生を防止することができる。
【００７３】
また、液晶装置１の検査時には検査用端子１０２ａにプローブピンを接続させて、該プローブピンより検査信号の供給を行う。図６に示す液晶装置１の構成によれば、プローブピンと検査用端子１０２ａとの位置合わせが比較的容易となり、検査時にプローブピンが検査用端子１０２ａから脱落するのを防止し、より正確な検査を行うことができる。
【００７４】
更に、上述したように検査用端子１０２ａに代えて又は加えて一部の端子１０２ｂのいずれかについても、そのサイズを大きくすることにより、該端子１０２ｂの電気抵抗を低下させることが可能となる。
【００７５】
また、図７に示すように、実装部品７０が実装される一部の端子１０２ｂは、一領域１３０の複数辺に沿って配列されてもよい。このように構成すれば、一部の端子１０２ｂが一領域１３０の複数辺に沿って配列されている場合も、一部の端子１０２ｂに実装される実装部品７０は一つで済むため、実装時間を短縮させることが可能となると共に、実装部品７０の生産や実装に要するコストを削減することが可能となる。また、一部の端子１０２ｂの配置によって、該一部の端子１０２ｂに接続される複数の配線同士が互いに交差するのを減らすことができ、且つ駆動時におけるノイズの発生も防止することが可能となる。
【００７６】
加えて、図８において、ＴＦＴアレイ基板１０を平面的に見て画像表示領域１１０の一辺に対向する一領域１３０の一辺に沿って配列された端子１０２ｂに接続される配線と比較して、一領域１３０の他の辺に沿って配列された端子１０２ｄには相対的に太い配線Ｌ２を接続するようにしてもよい。このように構成すれば、画像表示領域１１０に対向する一領域１３０の内側に、外側と比較して相対的に細い配線を配置すると共に、一領域１３０の外側に内側と比較して相対的に太い配線Ｌ２を配置することが可能となる。
【００７７】
また、前述の一領域１３０の他の辺に沿って配列された端子１０２ｄと上下導通端子とを配線Ｌ２によって接続するようにすれば、該配線Ｌ２の長さを短くできるため、該配線Ｌ２における抵抗を低下させることが可能となる。
【００７８】
＜４；電子機器＞
次に、上述した液晶装置１を各種の電子機器に適用される場合について説明する。
【００７９】
＜４−１：プロジェクタ＞
まず、この液晶装置１をライトバルブとして用いたプロジェクタについて説明する。図９は、プロジェクタの構成例を示す平面図である。この図に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブとしての液晶パネル１１１０Ｒ、１１１０Ｂおよび１１１０Ｇに入射される。
【００８０】
液晶パネル１１１０Ｒ、１１１０Ｂおよび１１１０Ｇの構成は、上述した液晶パネル１００と同等であり、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【００８１】
ここで、各液晶パネル１１１０Ｒ、１１１０Ｂおよび１１１０Ｇによる表示像について着目すると、液晶パネル１１１０Ｇによる表示像は、液晶パネル１１１０Ｒ、１１１０Ｂによる表示像に対して左右反転することが必要となる。
【００８２】
なお、液晶パネル１１１０Ｒ、１１１０Ｂおよび１１１０Ｇには、ダイクロイックミラー１１０８によって、Ｒ、Ｇ、Ｂの各原色に対応する光が入射するので、カラーフィルタを設ける必要はない。
【００８３】
＜４−２：モバイル型コンピュータ＞
次に、この液晶パネルを、モバイル型のパーソナルコンピュータに適用した例について説明する。図１０は、このパーソナルコンピュータの構成を示す斜視図である。図において、コンピュータ１２００は、キーボード１２０２を備えた本体部１２０４と、液晶表示ユニット１２０６とから構成されている。この液晶表示ユニット１２０６は、先に述べた液晶パネル１００５の背面にバックライトを付加することにより構成されている。
【００８４】
＜４−３；携帯電話＞
さらに、この液晶パネルを、携帯電話に適用した例について説明する。図１１は、この携帯電話の構成を示す斜視図である。図において、携帯電話１３００は、複数の操作ボタン１３０２とともに、反射型の液晶パネル１００５を備えるものである。この反射型の液晶パネル１００５にあっては、必要に応じてその前面にフロントライトが設けられる。
【００８５】
尚、図９〜図１１を参照して説明した電子機器の他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等などが挙げられる。そして、これらの各種電子機器に適用可能なのは言うまでもない。
【００８６】
本発明は、上述した実施形態に限られるものではなく、請求の範囲及び明細書全体から読み取れる発明の要旨或いは思想に反しない範囲で適宜変更可能であり、そのような変更を伴う電気光学装置並びに該電気光学装置を備えてなる電子機器もまた本発明の技術的範囲に含まれるものである。
【図面の簡単な説明】
【００８７】
【図１】液晶パネルの概略的な平面図である。
【図２】図１のＨ−Ｈ’断面図である。
【図３】液晶装置の全体構成を示すブロック図である。
【図４】図４（ａ）及び図４（ｂ）は、一の実装部品の実装に係る要部の構成を示す断面図である。
【図５】一の変形例に係る液晶装置の全体構成を示すブロック図である。
【図６】他の変形例に係る液晶装置の全体構成を示すブロック図である。
【図７】他の変形例に係る液晶装置の全体構成を示すブロック図である。
【図８】他の変形例に係る液晶装置の概略的な平面図である。
【図９】液晶装置を適用した電子機器の一例たるプロジェクタの構成を示す平面図である。
【図１０】液晶装置を適用した電子機器の一例たるパーソナルコンピュータの構成を示す斜視図である。
【図１１】液晶装置を適用した電子機器の一例たる携帯電話の構成を示す斜視図である。
【符号の説明】
【００８８】
１…液晶装置
７０…実装部品
１００…液晶パネル
１０２…端子
１１０…画像表示領域
１３０…一領域
【図１】
2005181399.tif 000003
【図２】
2005181399.tif 000004
【図３】
2005181399.tif 000005
【図４】
2005181399.tif 000006
【図５】
2005181399.tif 000007
【図６】
2005181399.tif 000008
【図７】
2005181399.tif 000009
【図８】
2005181399.tif 000010
【図９】
2005181399.tif 000011
【図１０】
2005181399.tif 000012
【図１１】
2005181399.tif 000013